(57)【要約】      （修正有）【課題】気流調節構造を設え、撃発時の初速を調節可能にした空気銃を提供する。【解決手段】銃管部１２と給気孔を有する銃本体１０と、該銃管部１２に設置され、該給気孔に位置し、曲面部を有する可動弁と、該可動弁と該銃管部の上にそれぞれ套設され、該可動弁と該銃管部に連結するバネと、中空を呈し、且つ該銃本体中に設置され、該給気孔の大きさを調節させ、該可動弁の一端に対応して、弧形凹部４２を有し、他端に調節部２１を設置する調節部材４０と、中空を呈し、該銃本体中に設置され、該調節部材の一端に対応して複数の調節凹溝５２を設置し、該調節部を収容させる気流排出部材５０と、を含む空気銃気流調節構造。該可動弁と該調節部材の組み合わせ、又は、該調節部材と該気流排出部材の組み合わせにより、空気銃の気流進入量の大きさを調節し、ＢＢ弾を撃発する初速を変更出来る様に構成する。【選択図】図６
0003154157.tif 000002
【実用新案登録請求の範囲】
【請求項１】
銃管部と給気孔を有する銃本体と、
該銃管部に設置され、該給気孔に位置し、曲面部を有する可動弁と、
該可動弁と該銃管部の上にそれぞれ套設され、該可動弁と該銃管部に連結するバネと、
中空を呈し、且つ該銃本体中に設置され、該給気孔の大きさを調節させ、該可動弁の一端に対応して、弧形凹部を有し、他端に調節部を設置する調節部材と、
中空を呈し、該銃本体中に設置され、該調節部材の一端に対応して複数の調節凹溝を設置し、該調節部を収容させる気流排出部材と、
を含む空気銃気流調節構造。
【請求項２】
前記可動弁は、さらに該曲面部の反対側に設置される弧形突出部を有することを特徴とする請求項１記載の空気銃気流調節構造。
【請求項３】
前記調節部は、係止環である請求項１記載の空気銃気流調節構造。
【請求項４】
前記調節部は、ねじ山を含む請求項１記載の空気銃気流調節構造。
【請求項５】
前記可動弁は、さらに、
該曲面部上に設置される調節部と、
該弧形凹部に進入可能な方式で該曲面部の反対側に設置されるロック部と、
を含む請求項１記載の空気銃気流調節構造。
【考案の詳細な説明】
【技術分野】
【０００１】
本考案は、空気銃気流調節構造に関し、特に、該負圧式空気銃を更に負圧可調システム(Negative Pressure Adjustable System, NPAS)を具備する空気銃にする負圧式空気銃に使用させる空気銃気流調節構造に関する。
【背景技術】
【０００２】
従来の負圧式空気銃給気構造は、図１Ａ，図１Ｂに示すように、先ず、図１Ａを参照すると、使用者がＢＢ弾１を撃とうとして引き金を押下する時、高圧気体が給気孔２から高速で進入し、図面左方の銃口（図示せず）方向に向かって噴出し、ＢＢ弾１を押し動かし、銃管５に沿って射出する。そのうち、可動弁４左方に曲面を有し、ベルヌーイの定理に基づき、高圧気体が可動弁４左方を通過する時に負圧を発生し、可動弁４を左方に吸引する。該可動弁４が左側に吸引されるに従い、気流排出方向を塞閉した後、図１Ｂに示すように、高圧気体が右方の排気室３方向に排出されるように変わり、銃器（図示せず）に自動的に弾を込めるよう押し動かす。その後、可動弁４は、バネ６の弾力により、図１Ａのような状態に回復する。
【０００３】
従来の空気銃の給気構造は、その気孔の大きさが固定されているので、ＢＢ弾が撃発する初速も固定され、使用者が遠方の目標を射撃したい時、撃発初速の速い銃に交換しなければならないが、この種の銃は、近くの目標を射撃することに適さず、その破壊力が強すぎ、跳弾が発生し、その他の目標に影響が及ぶ可能性がある。
【０００４】
また、ゲームの流行に従い、徐々に多種類の遊び方に分かれ、例えば、野外戦、街頭戦である。野外戦の時は、当然、遠距離射撃できる銃が必要であり、街頭戦の時、撃発初速が比較的遅い銃を使用し、傷を負うことを避けなければならない。使用者にとって、空気銃に遠距離戦及び近距離戦に同時に適用できるようにすることは、コスト削減の最良の選択である。
【０００５】
従って、空気銃気流調節構造を如何に創作し、その気流の給気量の大きさを調節可能とし、ＢＢ弾を撃発する初速を変更し、空気銃の付加価値を加えるかが、本考案が積極的に開示する所である。
【先行技術文献】
【特許文献】
【０００６】
【特許文献１】特許公開２００９−１４３２７
【考案の概要】
【考案が解決しようとする課題】
【０００７】
上記従来の空気銃の給気構造の欠陥に鑑み、考案者は、空気銃気流調節構造を考案し、空気銃の気流給気量の大きさを調節可能にし、ＢＢ弾を撃発する初速を変更することを目的とする。
【課題を解決するための手段】
【０００８】
上記の目的を達成するため、本考案の空気銃気流調節構造は、銃管部と給気孔を有する銃本体と、該銃管部に設置され、該給気孔に位置し、曲面部を有する可動弁と、該可動弁と該銃管部の上にそれぞれ套設され、該可動弁と該銃管部に連結するバネと、中空を呈し、且つ該銃本体中に設置され、該可動弁の一端に対応して、弧形凹部を有し、他端に調節部を設置する調節部材と、中空を呈し、該銃本体中に設置され、該調節部材の一端に対応して複数の調節凹溝を設置し、該調節部を収容させる気流排出部材と、を含む。
可動弁は、さらに弧形突出部を有し、曲面部の反対側に設置される。可動弁は、さらに、調節部及びロック部を含み、調節部は、曲面部上に設置される。ロック部は、弧形凹部に伸入可能な方式で曲面部の反対側に設置される。
【０００９】
本考案は、下記の特徴を有する。
（１）銃管部と給気孔を有する銃本体と、
該銃管部に設置され、該給気孔に位置し、曲面部を有する可動弁と、
該可動弁と該銃管部の上にそれぞれ套設され、該可動弁と該銃管部に連結するバネと、
中空を呈し、且つ該銃本体中に設置され、該給気孔の大きさを調節させ、該可動弁の一端に対応して、弧形凹部を有し、他端に調節部を設置する調節部材と、
中空を呈し、該銃本体中に設置され、該調節部材の一端に対応して複数の調節凹溝を設置し、該調節部を収容させる気流排出部材と、を含む空気銃気流調節構造。
（２）前記可動弁は、さらに弧形突出部を有し、該曲面部の反対側に設置される（１）記載の空気銃気流調節構造。
（３）前記調節部は、係止環である（１）記載の空気銃気流調節構造。
（４）前記調節部は、ねじ山を含む（１）記載の空気銃気流調節構造。
（５）前記可動弁は、さらに、
該曲面部上に設置される調節部と、
該弧形凹部に進入可能な方式で該曲面部の反対側に設置されるロック部と、を含む（１）記載の空気銃気流調節構造。
【考案の効果】
【００１０】
このように、本考案の空気銃気流調節構造は、空気銃の気流進入量の大きさを調節し、ＢＢ弾を撃発する初速を変更する効果を確実に達成する。
【図面の簡単な説明】
【００１１】
【図１Ａ】従来技術の銃本体内部の給気構造の動作説明図である。
【図１Ｂ】従来技術の銃本体内部の給気構造の動作説明図である。
【図２】本考案の実施例の銃器銃気流調節構造の側面断面図である。
【図３】本考案の実施例の空気銃気流調節構造の立体分解図である。
【図４Ａ】本考案の実施例の空気銃気流調節構造であり、弧形突出部と弧形凹部を変化させることにより、気体流量を調節する説明図である。
【図４Ｂ】本考案の実施例の空気銃気流調節構造であり、弧形突出部と弧形凹部を変化させることにより、気体流量を調節する説明図である。
【図５Ａ】本考案の実施例の空気銃気流調節構造であり、調節部材の動作説明図である。
【図５Ｂ】本考案の実施例の空気銃気流調節構造であり、調節部材の動作説明図である。
【図６】本考案の好適実施例の説明図である。
【考案を実施するための形態】
【００１２】
本考案の目的、特徴及び効果をより分かり易くするため、以下に具体的実施例を挙げ、図面に併せて、本考案の詳細を説明する。
【００１３】
図２、図３を参照し、図２は、本考案の実施例の空気銃の気流調節構造の側面断面図であり、図３は、本考案の実施例の空気銃気流調節構造の立体分解図である。図に示すように、本考案の実施例の空気銃気流調節構造は、銃本体１０と、可動弁２０と、バネ３０と、調節部材４０と、気流排出部材５０と、を含む。
【００１４】
該銃本体１０は、銃管部１２および給気孔１４を有し、該銃管部１２は、ＢＢ弾の撃発が必要とする軌道用とすることに用いる。該給気孔１４は、高圧気体を進入させる孔として用いる。ここでのＢＢ弾は、プラスチック材質から形成する球型物を指すが、異なる実施例では、異なる材質を使用して形成した異なる形状の弾丸であることができる。
【００１５】
該可動弁２０は、該銃管部１２中に設置され、該給気孔１４に配置され、曲面部２２を有し、該可動弁２０の移動によって、高圧気体の流動方向を変更する。
【００１６】
図２に示すように、該バネ３０は、該可動弁２０と該銃管部１２の上にそれぞれ套設され、該可動弁２０及び該銃管部１２に連結する。従って、可動弁２０は、負圧の牽引を受ける時、バネを押圧し、弾力を発生し、その後、この弾力により元の右側の位置に回復する。
【００１７】
該調節部材４０は、中空を呈し、該銃本体１０中に設置され、該可動弁２０の一端に対応して、弧形凹部４２を有する。好適な実施例では、可動弁２０は、さらに弧形突出部２４を有し、曲面部２２の反対側に設置される。該弧形凹部４２と該弧形突出部２４の組み合わせ形状を変更することにより、気流の通過する流量をさらに変更することができる。
【００１８】
図４Ａ、図４Ｂは、本考案の実施例の空気銃気流調節構造であって、突出部２４と弧形凹部を変形することによって、気体流量を調節する説明図である。該弧形突出部２４と該弧形凹部４２の弧度が接近するほど、通過できる気体流量が小さくなり（図４Ａ）、該弧形突出部２４と該弧形凹部４２の弧度の差が大きくなるほど、通過可能な気体流量が大きくなる(図４Ｂ)。
【００１９】
該調節部材４０の他端に調節部４４を設置する。該気体排出部材５０は、中空を呈し、該銃本体１０中に設置され、該調節部材４０の一端に対応して、複数の調節凹溝５２を設置し、該調節部４４を収容させる。該調節部４４を異なる位置の調節凹溝５２内に収容することにより、気流を通過する流量を変更できる。好適な実施例では、調節部４４は、係止環である。しかしながら、異なる実施例では、調節部４４は、ねじ山等の異なる装置を使用することができる。
【００２０】
図５Ａ、図５Ｂは、本考案の実施例の空気銃気流調節構造であって、その調節部材の動作説明図である。図５Ａに示すように、調節部材４０が右に移動するほど、可動弁２０左側は、高圧気体が流通する空間が大きくなるので、高圧気体の流量も大きくなり、ＢＢ弾が撃発する初速が高くなる。調節部材４０が図５Ｂに示すように左に移動するほど、可動弁２０左側は、高圧気体流通の空間が小さくなるので、高圧気体の流量も小さくなり、ＢＢ弾が撃発する初速が低くなる。
【００２１】
図６に示す好適実施例中、可動弁２０は、さらに調節部２１及びロック部２３を含み、調節部１２は、曲面部２２上に設置される。ロック部２３は、弧形凹部４２に伸入可能な方式で曲面部２２の反対側に設置される。具体的に言えば、好適な実施例では、調節部１２は、曲面部２２上端の六角柱であり、且つ銃管部１２に面する。使用者は、調節部１２と組み合わせた雌六角レンチを利用することができ、銃管部１２から銃本体１０内に伸入し調節部１２とラッチ接合した後、調節部１２を回転させ、且つ可動弁２０の回転を連動する。調節部１２とロック部２３は、いずれも可動弁２０上に設置され、ロック部２３は、連動して回転する。ロック部が弧形凹部４２に伸入することにより、ロック部２３が回転時、調節部材４０を押し動かし回転させる。言い換えれば、調節部２１とロック部２３の設計により、使用者は、銃本体１０、可動弁２０、バネ３０調節部材４０および気流排出部材５０を分解する必要がなく、直接外部から調節部材４０を回転させ、前記気流の大きさを調節する効果を達成する。
【００２２】
上記のように、本考案は、完全に特許の三要件：新規性、進歩性、産業上可用性に適合している。新規性及び進歩性について言えば、本考案は、該可動弁と該調節部材の組み合わせ、又は、該調節部材及び気流排出部材の組み合わせにより、空気銃の気流進入量の大きさを調節し、ＢＢ弾を撃発する初速を変更し、空気銃の付加価値を増加する目的を達成することができるものである。産業上の可用性について言えば、本考案を利用して生み出す製品は、現在の市場の需要を十分に満足することができる。
【００２３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２４】
１  ＢＢ弾
２  給気孔
３  排気室
４  可動弁
５  銃管
６  バネ
１０  銃本体
１２  銃管部
１４  給気孔
２０  可動弁
２１  調節部
２２  曲面部
２３  ロック部
２４  弧形突出部
３０  バネ
４０  調節部材
４２  弧形凹部
４４  調節部
５０  気流排出部材
５２  調節凹溝
【図１Ａ】
0003154157.tif 000003
【図１Ｂ】
0003154157.tif 000004
【図２】
0003154157.tif 000005
【図３】
0003154157.tif 000006
【図４Ａ】
0003154157.tif 000007
【図４Ｂ】
0003154157.tif 000008
【図５Ａ】
0003154157.tif 000009
【図５Ｂ】
0003154157.tif 000010
【図６】
0003154157.tif 000011